(57)【要約】      （修正有）【課題】竿杆の外周面からの突出量を抑えることができる固定部を備えたフックキーパ及びフックキーパ付き釣竿を提供することを課題とする。【解決手段】フックキーパ６は、竿杆２の外周面２ａと内周面２ｂとを貫通する第１貫通孔７が形成された釣竿に装着されるフックキーパ６であって、釣針を引っ掛けるための係止部１０と、竿杆２に固定される固定部２０と、を備え、固定部２０は、第１貫通孔７内に挿通されて竿杆２の径方向に延在し、径方向外端が係止部１０に連続する第１脚部２１を備えることを特徴とする。【選択図】図２
2019170229.tif 000002
【特許請求の範囲】
【請求項１】
竿杆の外周面と内周面とを貫通する第１貫通孔が形成された釣竿に装着されるフックキーパであって、
釣針を引っ掛けるための係止部と、前記竿杆に固定される固定部と、を備え、
前記固定部は、前記第１貫通孔内に挿通されて前記竿杆の径方向に延在し、径方向外端が前記係止部に連続する第１脚部を備える
ことを特徴とするフックキーパ。
【請求項２】
前記固定部は、前記竿杆の内周面に沿って延出し、一端が前記第１脚部の径方向内端と連続する第２脚部を備える
ことを特徴とする請求項１に記載のフックキーパ。
【請求項３】
前記竿杆には、外周面と内周面とを貫通する第２貫通孔が形成され、
前記固定部は、前記第２貫通孔内に挿通されて前記竿杆の径方向に延在し、径方向内端が前記第２脚部の他端に連続する第３脚部を備える
ことを特徴とする請求項２に記載のフックキーパ。
【請求項４】
フックキーパを備えたフックキーパ付き釣竿であって、
釣針を引っ掛けるための係止部と、竿杆に固定される固定部と、を備え、
前記竿杆には、外周面と内周面とを貫通する第１貫通孔が形成され、
前記固定部は、前記第１貫通孔内に挿通されて前記竿杆の径方向に延在し、径方向外端が前記係止部に連続する第１脚部を備え、
前記第１貫通孔内には、樹脂材料が硬化して成る第１封止部が形成されている
ことを特徴とするフックキーパ付き釣竿。
【請求項５】
前記固定部は、前記竿杆の内周面に沿って前記竿杆の軸方向に延出し、一端が前記第１脚部の径方向内端と連続する第２脚部を備え
前記竿杆は、内部に圧入される圧入部材を備え、
前記圧入部材の外周面には、前記竿杆の軸方向に延在して第２脚部が収容される溝が形成されている
ことを特徴とする請求項４に記載のフックキーパ付き釣竿。
【請求項６】
前記竿杆には、外周面と内周面とを貫通する第２貫通孔が形成され、
前記固定部は、前記第２貫通孔内に挿通されて前記竿杆の径方向に延在し、径方向内端が前記第２脚部の他端に連続する第３脚部を備え、
前記第２貫通孔内には、樹脂材料が硬化して成る第２封止部が形成されている
ことを特徴とする請求項５に記載のフックキーパ付き釣竿。
【発明の詳細な説明】
【技術分野】
【０００１】
本発明は、フックキーパ及びフックキーパ付き釣竿に関する。
【背景技術】
【０００２】
従来から釣り場の移動時に仕掛けの釣針を固定するための部品として、線材を折り曲げて成るフックキーパが利用されている。このようなフックキーパは、釣針を引っ掛けるための係止部と、竿杆に固定されるための固定部とを備える。また、固定部は、竿杆の外周面上で竿杆の軸方向に延在し、竿杆に巻き付けられた糸に締め付けられる脚部と、竿杆の外周面から立ち上がり、脚部が糸から抜けないようにするための返し部とを有する（下記特許文献参照）。
【先行技術文献】
【特許文献】
【０００３】
【特許文献１】実開昭５８−１８７２６５号公報
【発明の概要】
【発明が解決しようとする課題】
【０００４】
しかしながら、従来のフックキーパによれば、固定部が竿杆の外周面上に配置され、竿杆の他の部位よりも径方向外側に突出していた。よって、固定部に手指や釣り糸が接触し、操作性の低下の原因となっていた。
【０００５】
本発明は、このような課題を解決するために創作されたものであり、竿杆の外周面からの突出量を抑えることができる固定部を備えたフックキーパ及びフックキーパ付き釣竿を提供することを課題とする。
【課題を解決するための手段】
【０００６】
前記課題を解決するため、本発明のフックキーパは、竿杆の外周面と内周面とを貫通する第１貫通孔が形成された釣竿に装着されるフックキーパであって、釣針を引っ掛けるための係止部と、前記竿杆に固定される固定部と、を備え、前記固定部は、前記第１貫通孔内に挿通されて前記竿杆の径方向に延在し、径方向外端が前記係止部に連続する第１脚部を備えることを特徴とする。
【０００７】
前記する発明によれば、第１脚部（固定部）は、第１貫通孔内に配置され、竿杆の外周面から突出するような構成になっていない。よって、固定部に釣り糸が引っ掛かるおそれがなく操作性が良い。また、固定部に竿杆の外周面から突出する部位がなくなるためデザイン性が向上する。なお、このような第１脚部の固定方法としては、第１貫通孔内に樹脂材料を充填する固定方法が挙げられる。
【０００８】
また、前記発明において、前記固定部は、前記竿杆の内周面に沿って延出し、一端が前記第１脚部の径方向内端と連続する第２脚部を備えることが好ましい。
【０００９】
前記構成によれば、フックキーパに対し径方向外側への荷重が作用しても第２脚部が竿杆の内周面に係止する。よって、フックキーパが竿杆から抜け難くなる。なお、第２脚部の固定方法としては、前記構成によれば、竿杆内に圧入された部品で第２脚部を支持したり、若しくは、第２脚部と竿杆の内周面を接着したりして、固定部の固定強度を向上させることができる。
【００１０】
また、前記発明において、前記竿杆には、外周面と内周面とを貫通する第２貫通孔が形成され、前記固定部は、前記第２貫通孔内に挿通されて前記竿杆の径方向に延在し、径方向内端が前記第２脚部の他端に連続する第３脚部を備えることが好ましい。
【００１１】
前記構成によれば、竿杆に固定することができる部位が増えるため、竿杆に対する固定部の固定強度を向上させることができる。なお、このような第３脚部の固定方法としては、第３貫通孔内に樹脂材料を充填する固定方法が挙げられる。
【００１２】
また、前記課題を解決するため、本発明のフックキーパ付き釣竿は、フックキーパを備えたフックキーパ付き釣竿であって、釣針を引っ掛けるための係止部と、竿杆に固定される固定部と、を備え、前記竿杆には、外周面と内周面とを貫通する第１貫通孔が形成され、前記固定部は、前記第１貫通孔内に挿通されて前記竿杆の径方向に延在し、径方向外端が前記係止部に連続する第１脚部を備え、前記第１貫通孔内には、樹脂材料が硬化して成る第１封止部が形成されていることを特徴とする。
【００１３】
前記する発明によれば、固定部に釣り糸が引っ掛かるおそれがなく操作性が良いとともに、デザイン性が向上する。また、第１封止部によれば、第１脚部を第１貫通孔内に固定できるとともに、第１貫通孔を閉塞するため竿杆内に水が浸入しない。
【００１４】
また、前記発明において、前記固定部は、前記竿杆の内周面に沿って前記竿杆の軸方向に延出し、一端が前記第１脚部の径方向内端と連続する第２脚部を備え、前記竿杆は、内部に圧入される圧入部材を備え、前記圧入部材の外周面には、前記竿杆の軸方向に延在して第２脚部が収容される溝が形成されていることが好ましい。
【００１５】
前記構成よれば、第２脚部が竿杆の周方向及び径方向に移動しないように規制される。よって、係止部が竿杆の外周面上で周方向に傾倒し難くなる。
【００１６】
また、前記発明において、前記竿杆には、外周面と内周面とを貫通する第２貫通孔が形成され、前記固定部は、前記第２貫通孔内に挿通されて前記竿杆の径方向に延在し、径方向内端が前記第２脚部の他端に連続する第３脚部を備え、前記第２貫通孔内には、樹脂材料が硬化して成る第２封止部が形成されていることが好ましい。
【００１７】
前記構成よれば、第３脚部を第２貫通孔内に固定できるとともに、第２貫通孔を閉塞するため竿杆内に水が浸入しない。
【発明の効果】
【００１８】
以上から、本発明によれば、竿杆の外周面からの突出量を抑えることができる固定部を備えたフックキーパ及びフックキーパ付き釣竿を提供することができる。
【図面の簡単な説明】
【００１９】
【図１】実施形態に係るフックキーパ付き竿において竿元近傍を拡大し、かつ、斜視した拡大斜視図である。
【図２】（ａ）はフックキーパが設けられた元竿杆近傍を軸方向及び鉛直方向に延在する平面で切った断面図であり、（ｂ）は図２（ａ）に示すＩＩＢ−ＩＩＢ線で切り、その断面を矢印方向から視た断面図である。
【図３】（ａ）は第１貫通孔にフックキーパの固定部を挿入している過程を示す状態図であり、（ｂ）はフックキーパを引き起こし第３脚部を第２貫通孔内に挿通させた状態を示す図である。
【図４】第１変形例のフックキーパを示す断面図である。
【図５】第２変形例のフックキーパを示す断面図である。
【図６】第３変形例のフックキーパを示す断面図である。
【図７】第４変形例のフックキーパを示す断面図である。
【発明を実施するための形態】
【００２０】
以下、本発明の実施形態のフックキーパ付き釣竿１について、図面を参照して説明する。
【００２１】
本実施形態の釣竿１は、管状体である竿杆を複数継ぎ合わせて構成された並継式の釣竿である。竿杆は、繊維強化樹脂シートを芯金に巻回し、加熱工程を経た後に脱芯することで製造された繊維強化樹脂製の竿杆である。なお、本発明の釣竿１は、振出式の釣竿や、一つの竿杆で構成される一本竿であってもよく、釣竿の種類は特に限定されない。
【００２２】
図１に示すように、釣竿１の基部を構成する竿杆（以下、「元竿杆２」という）の外周面２ａには、魚釣用スピニングリール３を固定するための固定装置４や図示しないグリップが設けられている。魚釣用スピニングリール３は釣竿１（元竿杆２）の下側に配置されており、魚釣用スピニングリール３から竿先まで延在する釣り糸１００は、図示しないガイドロッドにより釣竿１の下側に配置されている。
【００２３】
元竿杆２において固定装置４が固定される部位よりも竿先側には、フックキーパ６が設けられている。フックキーパ６は、仕掛けの釣針１０１を固定するためのものであり、元竿杆２の上側面に設けられている。そして、魚釣用スピニングリール３のハンドル操作により釣り糸を張らせると、竿先から折り返してフックキーパ６までに延在する釣り糸１０２は釣竿１の上側に位置するようになり、図示しないガイドロッドへの絡みを防止できる。なお、本発明において、フックキーパ６は、例えばセパレートグリップのグリップ間に配置するなど、固定装置４よりも竿元側に設けられてもよい。
【００２４】
図２に示すように、元竿杆２には、外周面２ａと内周面２ｂとを貫通する第１貫通孔７及び第２貫通孔８が形成されている。
第１貫通孔７及び第２貫通孔８は、元竿杆２の上面側に形成されている。
第１貫通孔７は、第２貫通孔８によりも竿先寄りに形成され、第１貫通孔７及び第２貫通孔８とは、元竿杆２の軸Ｏ方向に離間している。
第１貫通孔７及び第２貫通孔８は、後述する第１脚部２１及び第３脚部２３の断面形状に対応して、軸Ｏ方向よりも周方向に長く形成されて楕円形となっている（図１参照）。
【００２５】
また、元竿杆２内には、元竿杆２の後端の開口（不図示）から竿先側に圧入された円柱状の圧入部材３０が配置されている。
圧入部材３０には、元竿杆２の軸Ｏ方向に延在する溝３１が形成されている。
この圧入部材３０は、元竿杆２の径方向から視て、第１貫通孔及び第２貫通孔と重なるように配置され、溝３１は第１貫通孔７及び第２貫通孔８と連続している。
なお、圧入部材３０の材料として、発泡材、コルク、樹脂などが挙げられる。
【００２６】
フックキーパ６は、元竿杆２の外周面２ａ上に配置された係止部１０と、元竿杆２に固定される固定部２０と、を備える。また、固定部２０は、第１貫通孔７内に挿通された第１脚部２１と、元竿杆２内に配置された第２脚部２２と、第２貫通孔８内に配置された第３脚部２３と、を備える。なお、フックキーパ６は、弾性を有する１つの線材を２つ折りにして互いに接しながら平行に延びる一対の線材部を一旦形成し、その一対の線材部をさらに折り曲げ加工することで形成された部品である。よって、係止部１０及び固定部２０を構成する各部位は、周方向に幅広になっている。
【００２７】
係止部１０は、第１貫通孔７の径方向外側で径方向に延在する第１係止部１１と、第１係止部１１の上端から竿元側へ延出しながら元竿杆２の外周面２ａに近接する第２係止部１２と、第２係止部１２の竿元側端部から元竿杆２の径方向外側に延びる第３係止部１３と、を備える。なお、第１係止部１１と第２係止部１２との間に形成される角部、及び第２係止部１２と第３係止部１３との間に形成される角部は、湾曲状に形成されている。
第１係止部１１は、釣針１０１を引っ掛ける部位である。第２係止部１２は、第１係止部１１に引っ掛かる釣針１０１が第１係止部１１から抜けることを防止するためのものである。第３係止部１３は、第２係止部１２の竿元側端部と元竿杆２との間に釣針１０１を挿入し易くするためのガイドである。なお、本発明の係止部１０について、釣針１０１を引っ掛けることができれば、その形状について特に限定されない。
【００２８】
第１脚部２１は、第１貫通孔７内で元竿杆２の径方向に延在しており、径方向外端が係止部１０の第１係止部１１に連続している。第１貫通孔７内には、樹脂材料が硬化して成る第１封止部７ａが形成されている。よって、第１脚部２１は、第１封止部７ａにより第１貫通孔７内に固着している。
【００２９】
第２脚部２２は、第１脚部２１の径方向内端から元竿杆２の内周面２ｂに沿って竿元側に延出している。第２脚部２２は、圧入部材３０の溝３１内に収容されている。よって、第２脚部２２は、元竿杆２の軸Ｏ回り方向（図２（ｂ）の矢印参照）や径方向に移動しないように規制されている。
【００３０】
第３脚部２３は、第２脚部２２の竿元側端部から径方向外側に延出し、第２貫通孔８内に挿通されている。また、第２貫通孔８内には、樹脂材料が硬化して成る第２封止部８ａが形成されている。よって、第３脚部２３は、第２封止部８ａにより第２貫通孔８内に固着している。
なお、第１封止部７ａ及び第２封止部８ａの形成に使用される樹脂材料としては、接着剤やパテ等が挙げられる。
【００３１】
つぎに、フックキーパ６の組み付け方法について図３を参照しながら説明する。
最初に、第３脚部２３を第１貫通孔７内に挿入する。そして、さらにフックキーパ６を押し込み、第３脚部２３を元竿杆２内に配置する。これによれば、図３（ａ）に示すように、第１貫通孔７内には第２脚部２２が配置される。
なお、第１貫通孔７は、第３脚部２３を挿入可能な大きさに形成しておく必要がある。
【００３２】
つぎに、第２脚部２２を元竿杆２内に配置するため、引き続きフックキーパ６を押し込むが、この押し込みの際に、フックキーパ６が元竿杆２に対して倒れるように傾倒させながら（図３（ａ）の矢印参照）押し込む。
これによれば、図３（ｂ）に示すように、第１貫通孔７内に第１脚部２１が位置するようになった時点で、第３脚部２３を第２貫通孔８内に配置する。
【００３３】
次に、圧入部材３０を竿元側から圧入し（図３（ｂ）の矢印参照）、溝３１内に第２脚部２２を配置する。
そして、第１貫通孔７及び第２貫通孔８内に樹脂材料を充填する。この樹脂材料が硬化して第１封止部７ａと第２封止部８ａが形成されたら、フックキーパ６の組み付けが完了となる。
【００３４】
以上、実施形態によれば、固定部２０（第１脚部２１、第２脚部２２、第３脚部２３）が元竿杆２の外周面２ａから突出していない。よって、固定部２０に釣り糸１０２が引っ掛かるおそれがない。また、元竿杆２の外周面２ａから突出する部位がなくなり、元竿杆２の外周面がシンプルとなりデザイン性が向上する。
また、係止部１０に釣針１０１が引っ掛けられ、係止部１０が竿先側に引っ張られるような荷重が作用した場合、第１脚部２１は第１貫通孔７の内周面に係止する。また、第３脚部２３が第２貫通孔８の内周面に係止する。よって、元竿杆２に対する固定部２０の固定強度（軸Ｏ方向の固定強度）が非常に高い。
また、第２脚部２２の周方向（図２（ｂ）の矢印で示す方向）の移動が規制されているため、係止部１０が元竿杆２の外周面２ａ上で周方向に傾倒し難い。
また、フックキーパ６に対し径方向外側への荷重が作用しても第２脚部２２が元竿杆２の内周面２ｂに係止するため、フックキーパ６が元竿杆２から抜ける可能性が非常に低い。また、第１貫通孔７及び第２貫通孔８は、第１封止部７ａ及び第２封止部８ａにより封止されているため、元竿杆２内に水や海水が浸入しない。よって、釣竿１の耐久性向上を図れる。     
【００３５】
以上、実施形態に係るフックキーパ６付き釣竿１について説明したが、本発明は実施形態で説明した例に限定されない。
例えば、圧入部材３０の溝３１内に樹脂材料を塗布し、第２脚部２２と溝３１内と元竿杆２の内周面２ｂとを接着してもよい。
また、図４に示すように、第２貫通孔８を第１貫通孔７の竿先側に形成し、フックキーパ６Ａの第２脚部２２Ａを第１脚部２１の径方向内端から竿先側に延出するようにしてもよい。このような第１変形例のフックキーパ６Ａであっても実施形態のフックキーパ６と同等の効果を得ることができる。
【００３６】
また、本発明において、図５に示すように、フックキーパ６Ｂの固定部２０Ｂは、第１脚部２１と第２脚部２２から構成されてもよい。この第２変形例のフックキーパ６Ｂによれば、第２貫通孔８内に固着される第３脚部２３を備えないため、元竿杆２に対する固定部２０Ｂの固定箇所が減るが、第２貫通孔８を形成したり、第２貫通孔８に第３脚部２３を挿通させたり手間を省くことができ、組み付け性が向上する。また、元竿杆２に形成する貫通孔の数を減り、製作工数が低減する。
【００３７】
また、本発明において、フックキーパ６の第２脚部２２の延在する方向は、元竿杆２の軸Ｏ方向に限定されない。例えば、元竿杆２の径方向に延在する第２脚部や、元竿杆２の内周面２ｂに沿って周方向に延在する第２脚部であってもよい。
ここで、図６に示すように、フックキーパ６Ｃの第２脚部２２Ｃが元竿杆２の径方向に延在する場合、圧入部材３０Ｃに対し第１貫通孔７の延長上に延在する延在する穴３２を形成し、その穴３２に第２脚部２２Ｃを挿入させてもよい。
【００３８】
また、本発明において、フックキーパ６において、第１脚部２１の第１貫通孔７への固定方法は樹脂材料に限定されない。例えば、図７に示すように、金属製の補強部材４０を第１貫通孔７内に螺合させ、その補強部材４０の孔に第１脚部２１を嵌合させてもよい。このような変形例のフックキーパ６Ｄによれば、補強部材４０により元竿杆２の補強も図ることができる。
【００３９】
また、本実施形態の第１貫通孔７及び第２貫通孔８の形状は、第１脚部２１及び第３脚部２３の断面形状に対応して周方向に長い楕円形に形成されているが、本発明はこれに限定されない。例えば、フックキーパ６が平行に延びる一対の線材部を折り曲げ加工することによって形成されていない場合、言い換えると、フックキーパ６が単に一本の線材を折り曲げて各部位が形成されている場合、第１脚部２１及び第３脚部２３を構成する線材の断面形状（円形）に対応して第１貫通孔７及び第２貫通孔８を円形にしてもよい。
また、本発明においては、第１貫通孔７及び第２貫通孔８の形状は、必ずしも、第１脚部２１及び第３脚部２３の断面形状に対応する必要がなく、適宜設計してよい。
【００４０】
また、本発明において、第２貫通孔８を重なるように元竿杆２の外周面に巻き糸を巻き付け、その巻き付けられた巻き糸を糸止め剤で元竿杆２に固着してもよい。これによれば、第２貫通孔８をより確実に封止できる。
【符号の説明】
【００４１】
１      釣竿
２      元竿杆（竿杆）
６，６Ａ，６Ｂ，６Ｃ，６Ｄ  フックキーパ
７      第１貫通孔
７ａ    第１封止部
８      第２貫通孔
８ａ    第２封止部
１０    係止部
２０，２０Ｂ  固定部
２１    第１脚部
２２，２２Ａ，２２Ｃ  第２脚部
２３    第３脚部
３０，３０Ｃ  圧入部材
３１    溝
３２    穴
４０    補強部材
１０１  釣針
【図１】
2019170229.tif 000003
【図２】
2019170229.tif 000004
【図３】
2019170229.tif 000005
【図４】
2019170229.tif 000006
【図５】
2019170229.tif 000007
【図６】
2019170229.tif 000008
【図７】
2019170229.tif 000009